(57)【要約】      （修正有）【課題】高い固定強度を有し、且つ携帯装置との間に優れた密封性を有するキーパッドモジュールを提供する。【解決手段】携帯装置のキーパッドモジュールは、前記携帯装置本体１０の上に装着される台座２０と、該台座の上に設置される柔軟性電気回路板３０と、該柔軟性電気回路板の上を被覆して前記柔軟性電気回路板における電気信号の発生をコントロールする導電性金属膜５０と、該導電性金属膜の上に設置されるゴム層６０と、該ゴム層の表面に接着される押しボタン層９０と、前記ゴム層と前記押しボタン層との間に位置し且つ前記台座と係合する位置決め枠８０とを備える。【選択図】図２
0003158714.tif 000002
【実用新案登録請求の範囲】
【請求項１】
携帯装置本体の上に装着される台座と、
前記台座の上に設置される柔軟性電気回路板と、
前記柔軟性電気回路板の上を被覆して前記柔軟性電気回路板における電気信号の発生をコントロールする導電性金属膜と、
前記導電性金属膜の上に設置されるゴム層と、
前記ゴム層の表面に接着される押しボタン層と、を備えてなる携帯装置のキーパッドモジュールであって、
前記ゴム層と前記押しボタン層との間には、前記台座と係合する位置決め枠が設置され、前記ゴム層、前記導電性金属膜及び前記柔軟性電気回路板は、前記位置決め枠と前記台座との間に形成された収容空間に収容されることを特徴とする携帯装置のキーパッドモジュール。
【請求項２】
前記台座は、基板及び前記基板の縁部から、前記基板及び前記基板のそれぞれに対して直交する方向に延伸する少なくとも２つの対向する側辺を備え、前記側辺の内側には、複数の位置決め突起が凸設され、
前記位置決め枠は、少なくとも２つの前記台座の側辺の内側に嵌合する側辺を有し、前記位置決め枠の側辺には、前記台座の位置決め突起と対応して係合する複数の位置決め孔が開設されることを特徴とする請求項１に記載の携帯装置のキーパッドモジュール。
【請求項３】
前記押しボタン層の表面は、複数の押しボタンからなり、前記ゴム層の表面には、前記押しボタンと対応する複数の凸部が凸設され、前記位置決め枠には、前記凸部表面に係合する複数の格子が間隔的に開設されることを特徴とする請求項１に記載の携帯装置のキーパッドモジュール。
【請求項４】
前記ゴム層の各凸部底部からそれぞれ下へ向かって延伸して凸柱を形成し、前記導電性金属膜の表面には、前記凸柱と対応する複数の弧形の突起からなる導電部が形成されることを特徴とする請求項３に記載の携帯装置のキーパッドモジュール。
【請求項５】
前記押しボタンの底面は平面状に形成され、前記ゴム層の凸部は、対応する押しボタンの底部と完全に粘着接触することを特徴とする請求項３に記載の携帯装置のキーパッドモジュール。
【請求項６】
前記押しボタン層は、底面が互いに粘着する複数の押しボタンを備え、互いに粘着する押しボタンのそれぞれの上表面は刻印によって隔たれ、前記押しボタンの底面の前記刻印と対応する位置に支持柱が凸設され、前記位置決め枠、前記ゴム層、前記導電性金属膜及び前記柔軟性電気回路板の前記支持柱と対応する位置にそれぞれ複数の位置決め孔が開設されることを特徴とする請求項１に記載の携帯装置のキーパッドモジュール。
【考案の詳細な説明】
【技術分野】
【０００１】
本考案はキーパッドモジュールに係り、特に携帯装置に用いられるキーパッドモジュールに関するものである。
【背景技術】
【０００２】
科学技術の発展に伴い、携帯電話などの通信装置が、人々の日常生活や生産活動において不可欠な電子通信製品になった。使用者がデータを入力する時の利便性を高めるために、多くの電子製品は、独立の手書き領域又はタッチパネルを設置することにより、使用者が手書き又はタッチの方式でデータを入力することを可能にする。携帯通信装置の体積の減少、すなわち薄型化に対する要求が強くなるにつれて、キーパッドの体積が小さくなり、従ってキーパッドとその下方に設置された部品との接着面積が小さくなるため、キーパッドの固定強度が弱まり、その表面が脱落しやすい。また、限定された空間によって、キーパッドの密封が不十分となり、漏光及び静電気現象が発生しやすい。
【考案の概要】
【考案が解決しようとする課題】
【０００３】
本考案の目的は、高い固定強度を有し、且つ携帯装置との間に優れた密封性を有するキーパッドモジュールを提供することである。
【課題を解決するための手段】
【０００４】
本考案に係る携帯装置のキーパッドモジュールは、前記携帯装置本体の上に装着される台座と、前記台座の上に設置される柔軟性電気回路板と、前記柔軟性電気回路板の上を被覆して前記柔軟性電気回路板における電気信号の発生をコントロールする導電性金属膜と、前記導電性金属膜の上に設置されるゴム層と、前記ゴム層の表面に接着される押しボタン層と、前記ゴム層と前記押しボタン層との間に位置し且つ前記台座と係合する位置決め枠と、を備える。
【考案の効果】
【０００５】
従来の技術と比較して、本考案に係るキーパッドモジュールと携帯装置本体との間は、位置決め枠と前記台座を利用して前記キーパッドモジュールを前記携帯装置本体に密封的に係合することで、押しボタンの安定性を高め、使用する時に漏光及び静電気現象の発生を防止することができる。
【図面の簡単な説明】
【０００６】
【図１】本考案の実施形態に係る携帯装置のキーパッドモジュール及び携帯装置本体の立体分解図である。
【図２】図１に示した携帯装置のキーパッドモジュールの立体組立図及び前記携帯装置本体の立体分解図である。
【図３】図１を別の方向からみた立体分解図である。
【図４】図１の立体組立図である。
【図５】図４に示したＶ−Ｖ線に沿った断面図である。
【考案を実施するための形態】
【０００７】
以下、図面に基づいて、本考案の実施形態に係る携帯装置のキーパッドモジュールに関して詳細に説明する。
【０００８】
図１ないし図３を参照すると、本考案の実施形態に係る携帯装置は、携帯装置本体１０を備える。前記携帯装置本体１０は、カバー部１１と、ベース部１３と、前記カバー部１１及び前記ベース部１３の間に装着されて携帯電話の機能をコントロールする電気回路板１５と、を備える。前記電気回路板１５の一側にコネクタ１６が設置される。
【０００９】
前記カバー部１１は、トップフレーム１１０及び対向する２つの側板１１１を備える。前記トップフレーム１１０には、キーパッドモジュールを収容するための矩形収容領域が凹設される。前記収容領域は支持板１１２を有し、前記支持板１１２の長手方向の両側辺が別々に１つの側壁１１３を通して前記トップフレーム１１０と連接される。前記２つの側壁１１３にそれぞれ複数の係合部１１５が凸設される。前記支持板１１２の他の両側に４つの凸部１１６が対称設置される。前記４つの凸部１１６は、それぞれ前記カバー部１１の１つの側板１１１と隣接し、且つ前記側板１１１との間に隙間１１７を形成する。前記支持板１１２の一側における２つの凸部１１６の間には、前記コネクタ１６と対応する位置に前記コネクタ１６を挿入させるための溝１１８が穿設される。前記側板１１１の前記凸部１１６の下方の前記隙間１１７と対応する位置に、それぞれ係止部１１９が凸設される。
【００１０】
前記携帯装置は、キーパッドモジュールを更に備える。前記キーパッドモジュールは、前記携帯装置本体１０のカバー部１１の収容領域内に収容される台座２０を備える。前記台座２０は、矩形基板２１を有する。前記基板２１の両側には、それぞれ前記カバー部１１の凸部１１６と対応する２つの開口２１１が開設される。前記各々の開口２１１の縁部から下へ向かって係止片２２がプレス成形され、前記係止片２２に前記カバー部１１の係止部１１９と対応する係止溝２２１が開設される。前記基板２１の一側における２つの係止片２２の間には、前記カバー部１１の支持板１１２の溝１１８と対応する溝２１３が開設される。前記基板２１の４つの縁部は、別々に前記基板２１と直交する方向に沿って上に向かって湾曲して側辺２３を形成し、その長手方向の二側辺２３には、前記カバー部１１の複数の係合部１１５とそれぞれ対応する複数の係合溝２５が開設される。前記４つの側辺２３の内側には、それぞれ複数の位置決め突起２６が間隔的に凸設される。
【００１１】
前記キーパッドモジュールは、順に前記台座２０内に収容され且つ押しボタンの機能をコントロールする柔軟性電気回路板３０と、前記柔軟性電気回路板３０の表面に貼付される導電性金属膜５０と、前記導電性金属膜５０の上に設置されるゴム層６０と、前記ゴム層６０の上に被せる位置決め枠８０と、前記ゴム層６０の表面に貼付される押しボタン層９０と、を更に備える。
【００１２】
前記柔軟性電気回路板３０の上に、発光ダイオードのような複数の光源３３が間隔的に設置され、前記複数の光源３３の間に複数の位置決め孔３５が間隔的に開設される。
【００１３】
前記導電性金属膜５０は、前記柔軟性電気回路板３０上に対応的に被覆される。前記導電性金属膜５０の表面には、複数の弧形の突起からなる導電部５１と、前記光源３３と対応して前記光源３３を挿入させるための複数の貫通孔５３と、前記位置決め孔３５と対応する複数の位置決め孔５５とが間隔的に配列される。
【００１４】
前記ゴム層６０は、前記導電性金属膜５０の上に設置され、前記ゴム層６０の最表面に一定間隔で整然と配列される複数の凸部６１が形成される。前記複数の凸部６１の底部からそれぞれ下へ向かって延伸して前記導電性金属膜５０の導電部５１の位置と対応する凸柱６３が形成される。前記ゴム層６０は柔軟性を有するので、前記凸部６１が外力によって押圧されると、前記凸柱６３は前記導電性金属膜５０の導電部５１に接触し易く、従って押しボタンの信号を入力し易い。前記複数の凸部６１の間には、前記導電性金属膜５０の貫通孔５３及び位置決め孔５５とそれぞれ対応する複数の貫通孔６５及び位置決め孔６７が開設される。
【００１５】
前記位置決め枠８０は、前記台座２０に相当する寸法を有する。前記位置決め枠８０は、前記ゴム層６０の凸部６１と対応する複数の格子８１を有し、前記凸部６１は、前記格子８１を通して前記位置決め枠８０の上に露出する。前記位置決め枠８０の４つの縁部は、別々に前記位置決め枠８０と直交する方向に沿って下に向かって湾曲して側辺８５を形成する。前記４つの側辺８５には、それぞれ前記台座２０の側辺２３の内側に設置された位置決め突起２６と対応する複数の位置決め孔８６が開設される。前記複数の格子８１の間には、前記導電性金属膜５０の位置決め孔５５及び前記ゴム層６０の位置決め孔６７と対応する複数の位置決め孔８８が開設される。
【００１６】
前記押しボタン層９０は、前記ゴム層６０の上に設置される。前記押しボタン層９０は、平坦な底面を有する複数の押しボタン９１からなり、一部分の前記押しボタン９１の底面は互いに粘着して１つの平面を形成し、前記押しボタン９１の上表面は刻印９３によって分割されて異なる機能を持つ複数の押しボタンを形成する。１つの押しボタン９１を押圧すると、その押しボタン９１と粘着された他の押しボタン９１も同時に沈むことによる誤操作を防止するために、前記粘着された押しボタン９１の底面の前記刻印９３と対応する位置に、それぞれ支持柱９５を凸設する。前記支持柱９５の位置は、前記ゴム層６０の位置決め孔６７、前記導電性金属膜５０の位置決め孔５５及び前記柔軟性電気回路板３０の位置決め孔３５と対応する。
【００１７】
図４及び図５を参照すると、前記キーパッドモジュールを組み立てる時、先ず前記台座２０を前記カバー部１１に装着する。前記台座２０両側の係止片２２は別々に前記カバー部１１の隙間１１７を通り抜け、前記係止片２２の係止溝２２１は前記カバー部１１の側板１１１の係止部１１９に係止する。前記カバー部１１の凸部１１６は前記台座２０の開口２１１に係止し、前記台座２０の基板２１は前記カバー部１１の支持板１１２に貼り合わせられる。前記台座２０の側辺２３の係合溝２５は、前記カバー部１１の係合部１１５に係止する。従って、前記台座２０は前記カバー部１１にしっかり装着される。
【００１８】
次に、前記柔軟性電気回路板３０、前記導電性金属膜５０及び前記ゴム層６０を順に前記台座２０内に収容する。前記柔軟性電気回路板３０に設置された光源３３は、順に前記導電性金属膜５０の貫通孔５３及び前記ゴム層６０の貫通孔６５を通り抜けて外部に凸設される。前記コネクタ１６は前記台座２０の溝２１３を介して前記柔軟性電気回路板３０の底部に電気的に接続されて、前記柔軟性電気回路板３０に発生した押しボタンの信号を携帯装置の電気回路板１５に伝送する。前記ゴム層６０底部の凸柱６３は、前記導電性金属膜５０の導電部５１の上表面と接触する。続いて前記位置決め枠８０の格子８１を対応する前記ゴム層６０の凸部６１に被せて、前記位置決め枠８０の側辺８５は、前記台座２０の側辺２３の内側に装着され、前記側辺８５の位置決め孔８６は、前記側辺２３内側の位置決め突起２６に係止することにより、密封されたハウシングを形成して、前記ハウシング内に前記柔軟性電気回路板３０、前記導電性金属膜５０及び前記ゴム層６０を収容することで、キーパッドモジュールを使用する時に漏光及び静電気現象の発生を防止する。
【００１９】
最後に、接着剤で前記押しボタン層９０の押しボタン９１の底面を対応する前記ゴム層６０の凸部６１の表面に緊密に貼り合わせる。前記押しボタン９１の底面の支持柱９５は、順に前記位置決め枠８０、前記ゴム層６０、前記導電性金属膜５０及び前記柔軟性電気回路板３０の位置決め孔８８，６７，５５，３５を通り抜けて、他の部品と一緒にキーパッドモジュールを形成する。
【００２０】
前記キーパッドモジュールを使用する時、前記押しボタン層９０の押しボタン９１が外力によって押圧されると、対応する前記ゴム層６０の凸部６１底部の凸柱６３が連動されて前記導電性金属膜５０の導電部５１を押圧して、前記導電部５１が前記柔軟性電気回路板３０と接触して押圧信号を電子回路に入力することにより、対応する押しボタンの機能を実現する。
【００２１】
上述したキーパッドモジュールを用いた携帯装置において、前記押しボタン層９０の底面は平面であるため、前記ゴム層６０の表面との粘着面積が大きくなり、且つ前記押しボタン層９０は前記支持柱９５を介して前記キーパッドモジュールの他の部品に位置決めされるため、前記押しボタン９１の安定性は大きく改善される。又、本考案に係る携帯装置のキーパッドモジュールは、前記位置決め枠８０及び前記台座２０を介して前記キーパッドモジュールを密封されるように前記携帯装置本体に係止固定するので、使用する時に漏光及び静電気現象の発生を防止することができる。
【００２２】
以上、本考案の好適な実施形態について詳細に説明したが、本考案は前記実施形態に限定されるものではなく、本考案の範囲内で種々の変形又は修正が可能であり、該変形又は修正も又、本考案の特許請求の範囲内に含まれるものであることは、いうまでもない。
【符号の説明】
【００２３】
１０    携帯装置本体
１１    カバー部
１１０  トップフレーム
１１１  側板
１１２  支持板
１１３  側壁
１１５  係合部
１１６  凸部
１１７  隙間
１１８  溝
１１９  係止部
１３    ベース部
１５    電気回路板
１６    コネクタ
２０    台座
２１    基板
２１１  開口
２１３  溝
２２    係止片
２２１  係止溝
２３    側辺
２５    係合溝
２６    位置決め突起
３０    柔軟性電気回路板
３３    光源
３５，５５，６７，８６，８８    位置決め孔
５０    導電性金属膜
５１    導電部
５３，６５    貫通孔
６０    ゴム層
６１    凸部
６３    凸柱
８０    位置決め枠
８１    格子
８５    側辺
９０    押しボタン層
９１    押しボタン
９３    刻印
９５    支持柱
【図１】
0003158714.tif 000003
【図２】
0003158714.tif 000004
【図３】
0003158714.tif 000005
【図４】
0003158714.tif 000006
【図５】
0003158714.tif 000007